(57)【要約】【課題】肩当て銃床付き銃の銃床に当接させて銃弾を発射する際の人体への衝撃を緩和する床尾板であって、衝撃力を十分に緩和するものを提供すること。【解決手段】制振ゴム２と硬板４との間に制振ゴムよりも軟質の制振軟部材３を有する床尾板１を提供する。銃弾発射時の衝撃力が分散され、人体への衝撃が効果的に緩和される。制振軟部材３を、制振ゴム２と硬板４との間に封入しても、制振ゴム２と硬板４との間に積層してもよい。制振軟部材３としては、制振ゴムスポンジや制振ゲルを使用することができる。硬板４はプラスチック板とできる。【選択図】図３
0003199361.tif 000002
【実用新案登録請求の範囲】
【請求項１】
制振ゴムと、硬板とを備え、
前記制振ゴムと前記硬板との間に前記制振ゴムよりも軟質の制振軟部材を有することを特徴とする、床尾板。
【請求項２】
前記制振ゴムは、一面の開口された空洞部を有し、
前記空洞部に前記制振軟部材が収容され、
前記硬板は、前記一面を被覆することを特徴とする、請求項１に記載の床尾板。
【請求項３】
前記制振ゴム、前記制振軟部材及び前記硬板を、この順に積層したことを特徴とする、請求項１に記載の床尾板。
【請求項４】
前記制振軟部材は、制振ゴムスポンジであることを特徴とする、請求項１〜３のいずれか一項に記載の床尾板。
【請求項５】
前記制振軟部材は、制振ゲルであることを特徴とする、請求項１〜３のいずれか一項に記載の床尾板。
【請求項６】
前記硬板は、プラスチック板であることを特徴とする、請求項１〜５のいずれか一項に記載の床尾板。
【考案の詳細な説明】
【技術分野】
【０００１】
本考案は、肩当て銃床付き銃の銃床に当接させて、銃弾を発射する際の人体への衝撃を緩和する床尾板に関する。
【背景技術】
【０００２】
スポーツ用又は狩猟用のライフル銃、散弾銃、空気銃等の肩当て銃床付き銃は、銃弾を発射する際の反動が、衝撃力となって肩当て銃床に伝わり、更に人体（肩）に伝わる。このため、人体に伝わる衝撃力を緩和するために、銃床に当接させる床尾板が用いられていた。
【０００３】
例えば特許文献１には、衝撃吸収ゴムとプラスチック板を接着した床尾板が開示されている。しかし、衝撃力の緩和が十分ではなかった。
【先行技術文献】
【特許文献】
【０００４】
【特許文献１】実用新案登録第３０９３８１９号公報
【考案の概要】
【考案が解決しようとする課題】
【０００５】
本考案は、肩当て銃床付き銃の銃床に当接させて銃弾を発射する際の人体への衝撃を緩和する床尾板であって、衝撃力を十分に緩和するものを提供することを課題とする。
【課題を解決するための手段】
【０００６】
本考案の床尾板は、
制振ゴムと、硬板とを備え、
前記制振ゴムと前記硬板との間に前記制振ゴムよりも軟質の制振軟部材を有することを特徴とする。
【０００７】
この特徴によれば、制振軟部材によって、衝撃力の方向を分散され、人体に対する衝撃が緩和される。銃弾発射時の衝撃力は、銃床全体に亘って均一ではなく、銃身を延長した箇所に、銃身を延長した方向の強い力が加わる。してみれば、その強い力の方向を分散させれば人体の局所に強い力が加わることがなくなる。さらに、制振ゴムによる振動吸収が加わり、衝撃が相乗的に緩和される。また、制振ゴムによって振動が緩和されるので、銃身のブレが少なくなり標的への命中率が高まる。
【０００８】
本考案の床尾板は、
前記制振ゴムは、一面の開口された空洞部を有し、
前記空洞部に前記制振軟部材が収容され、
前記硬板は、前記一面を被覆することを特徴とする。
【０００９】
この特徴によれば、制振軟部材が床尾板の内部に封入される。銃身を延長した箇所に制振軟部材を配すれば、人体に対する衝撃が効果的に緩和される。
【００１０】
本考案の床尾板は、
前記制振ゴム、前記制振軟部材及び前記硬板を、この順に積層したことを特徴とする。
【００１１】
この特徴によれば、制振軟部材が床尾板の断面の全面に存在する。人体に対する衝撃が常に緩和される。
【００１２】
本考案の床尾板は、
前記制振軟部材は、制振ゴムスポンジであることを特徴とする。
【００１３】
この特徴によれば、衝撃力の方向を効果的に分散することができる。ここで、「制振ゴムスポンジ」は、制振ゴムをスポンジ状に整形したものである。
【００１４】
本考案の床尾板は、
前記制振軟部材は、制振ゲルであることを特徴とする。
【００１５】
この特徴によれば、衝撃力の方向を効果的に分散することができる。ここで、「制振ゲル」は、制振ゴムをゲル状に加工したものである。
【００１６】
本考案の床尾板は、
前記硬板は、プラスチック板であることを特徴とする。
【００１７】
この特徴によれば、加工整形の容易なプラスチック板を用いて床尾板を生産することができる。
【考案の効果】
【００１８】
本考案の床尾板によれば、銃弾発射時の衝撃力を、分散させて、十分に緩和することが可能となる。
【図面の簡単な説明】
【００１９】
【図１】図１は、床尾板の構成を示す分解斜視図である。（実施例１）
【図２】図２は、銃床に床尾板を装着した構成を示す図である。（実施例１）
【図３】図３は、床尾板の構成を示す分解斜視図である。（実施例２）
【図４】図４は、銃床に床尾板を装着した構成を示す図である。（実施例２）
【考案を実施するための形態】
【００２０】
以下、本考案の床尾板の実施例を２つ示す。
【実施例１】
【００２１】
図１は、床尾板の構成を示す分解斜視図である。床尾板１は、制振ゴム２、制振軟部材３及び硬板４を積層して構成される。
【００２２】
制振ゴム２は、一般に用いられる制振ゴムである。制振軟部材３は、本実施例においては、制振ゴム２と同一の部材をスポンジ状に整形して制振ゴムスポンジとする。硬板４は、プラスチック板とする。
【００２３】
制振ゴム２、制振軟部材３及び硬板４には、ビス穴５が設けられている。図２は、銃床に床尾板を装着した構成を示す図である。ビス６が、制振ゴム２の側からビス穴５に挿入され、硬板４を銃床７に固定する。ビス６を木ネジとすることで、床尾板１が確実に銃床７に固定される。
【００２４】
銃弾を発射すると、銃身からの衝撃力が硬板４の局所に強く伝達される。制振ゴムスポンジ（制振軟部材）３によって衝撃力が分散され、制振ゴム２には拡がって（局所的な力としては弱くなって）伝達される。さらに、制振ゴム２によって緩衝されるので、人体への衝撃が小さい。
【実施例２】
【００２５】
図３は、床尾板の構成を示す分解斜視図である。床尾板１は、制振ゴム２、制振軟部材３及び硬板４を積層して構成される。なお、ビス穴５については実施例１と同様なので省略する。
【００２６】
制振ゴム２は、一般に用いられる制振ゴムである。制振軟部材３は、本実施例においては、制振ゴム２と同一の部材をゲル状にした制振ゲルとする。硬板４は、プラスチック板とする。
【００２７】
制振ゴム２には、空洞部２１が設けられている。制振ゲル（制振軟部材）３は、空洞部２１に収容され、プラスチック板４が蓋となる。
【００２８】
図４は、銃床に床尾板を装着した構成を示す図である。図２と比較すると、制振軟部材３が外観に表れない点が相違する。木ネジ（ビス）６によって、床尾板１を銃床７に固定する点は図２と同一である。
【００２９】
銃弾を発射すると、銃身からの衝撃力が硬板４の局所に強く伝達される。制振ゲル（制振軟部材）３によって衝撃力が分散され、制振ゴム２には拡がって（局所的な力としては弱くなって）伝達される。さらに、制振ゴム２によって緩衝されるので、人体への衝撃が小さい。
【産業上の利用可能性】
【００３０】
銃弾発射時の衝撃力を、分散させて、十分に緩和する床尾板であり、多くの射撃愛好家による利用が考えられる。
【符号の説明】
【００３１】
１    床尾板
２    制振ゴム
３    制振軟部材
４    硬板
５    ビス穴
６    ビス（木ネジ）
７    銃床
【図１】
0003199361.tif 000003
【図２】
0003199361.tif 000004
【図３】
0003199361.tif 000005
【図４】
0003199361.tif 000006